(57)【特許請求の範囲】
【請求項１】
端部にＬＥＤを配設した棒状の導光体を備えたＬＥＤ線状光源において、
該導光体はその長手方向である光軸に直交する断面の形状が円弧状であって、光を出射する光出射面を含む上面と、該上面に対して光軸に沿って平行に配置され該上面に対向する反射面を含む下面とを有し、
前記導光体の入光端面に隣接する外周面の出射面側のみに光を拡散させるための拡散体を設け、
前記導光体の下面の外側には、拡散反射部材が設けられており、
前記拡散反射部材には切欠き部が形成されており、
前記反射面の形成された導光体の端部近傍であって、前記導光体の外に導かれ前記切欠き部に到達した光を当該導光体の外部で吸収する光吸収部材を設けたことを特徴とするＬＥＤ線状光源。
【請求項２】
前記拡散体は光拡散性のある塗料であることを特徴とする請求項１に記載のＬＥＤ線状光源。
【請求項３】
前記拡散体は導光体に施された凹凸処理部分であることを特徴とする請求項１に記載のＬＥＤ線状光源。
【請求項４】
請求項１乃至３のいずれか１に記載のＬＥＤ線状光源装置を組み込んだことを特徴とする読取装置。
【発明の詳細な説明】
【技術分野】
【０００１】
この発明は、原稿照明装置に用いられるＬＥＤ線状光源および読取装置に関する。特に、ＬＥＤを導光体の端部に配置したＬＥＤ線状光源および読取装置に関する。
【背景技術】
【０００２】
従来から原稿照明装置の光源として、発光ダイオード（ＬＥＤ）を利用した技術が知られている。この技術には、ＬＥＤを原稿面の幅方向全体に亘って複数個配置させたアレー型のものと、透光性の樹脂等からなる導光体の端部にＬＥＤを配置し、ＬＥＤの放射光を導光体に伝搬させるタイプの二つに分かれている。最近では、ＬＥＤの出力が高くなりつつあることから導光体を用いたタイプが注目されている。
【０００３】
導光体を用いた線状光源としては、例えば、特開平１１−１３４９１８が知られている。
図７は上記公報に記載される線状光源を示す。ＬＥＤ７１が導光体７２の端部７３に配置される。ＬＥＤ７１の放射光を、端部７３から入射させて、導光体７２の内部を伝搬させ、長手方向に沿って伸びる外面から出射光となる。導光体７２には、三角波面で構成された反射領域７４が設けられており、反射領域７４を覆うように拡散反射面７５を備えている。また、反射領域７４と拡散反射面７５との間に光学的マッチングをとらない空間７６を設けた構成が開示されている。
【０００４】
さらに、導光体７２の端面７３３には接続部７７が設けられ、この接続部７７の外周部に拡散層７７１が形成される。接続部７７は断面の形状が円形であり、かつ、導光体７２の径と同じか又はそれより小さい。
【先行技術文献】
【特許文献】
【０００５】
【特許文献１】特開平１１−１３４９１８公報
【発明の概要】
【発明が解決しようとする課題】
【０００６】
ところで、上記線状光源からの放射光を原稿に照射させる際、放射光の均一性を保つために、上記特許文献１の技術では、
（ａ）円筒状の接続部７７の外周に拡散層７７１を形成し、かつ、導光体７２の形状を光源から徐々に小さくする構造、
（ｂ）反射領域７４の幅を次第に大きくする構造、
（ｃ）長手方向に一定の幅の反射領域７４を間欠的に配置する構造が提案されている。
【０００７】
しかし、このような構造では、光源近傍からの照射光を均一に保つことは、下記の理由から困難であることがわかった。
【０００８】
発明者は、上記と同様な構成の導光体を試作した。図６は導光体７２の構成、導光体７２を配置した原稿照明装置８５の構成、さらには、原稿配置ガラス８６上での強度分布を示す。
【０００９】
図６（ａ）は導光体７２の入光部側から見た側面図を示す。使用した導光体７２は、透光性のアクリル樹脂にて製作し、全長は３２０ｍｍである。導光体７２の長手方向である光軸に直交する断面の形状が略楕円状であって、光を出射する出射面６１を含む上面６２と、上面６２に対向する凹部６３１と凸部６３２とからなる反射面６３を含む下面６４とからなり、導光体７２の下面６４には、全体に亘って、導光体７２との間に空気層６６を介して拡散反射面６７が設けられている。また、導光体７２の入光端面には円柱状の突出部６８が設けられており、その外周部全体には光拡散反射性のある塗料６９を塗布している。
【００１０】
ＬＥＤ線状光源を使った照明装置を、複写機やスキャナーなどの読取装置に搭載させる際、照明装置は原稿読取領域に対して斜め方向に配置される。これは、原稿面の読取領域直下には、原稿からの反射光をＣＣＤ等へ取り込むために、密着露光タイプではセルフォックレンズが、縮小露光タイプでは折り返しミラーが、配置される等の機構上の制限によるものである。
【００１１】
図６（ｂ）に示すように、原稿配置用ガラス８６（以下、単に「ガラス」とも言う）に対して導光体７２は、その放射光が集光するガラス８６上の位置（仮想線で示したＹ軸の位置）に対して紙面上左側に配置されている。このような配置により導光体７２からの放射光は、原稿面に対して斜めに傾いた方向から照射されることとなる。
【００１２】
図６（ｃ）は、図６（ｂ）のＡ−Ａ’の断面図を示す。導光体７２の他端面７２２には、反射体７２３を配置して、導光体７２の内部を通って他端面７２２に到達した光を、反射体７２３で反射して導光体７２に戻している。
【００１３】
光源７０は、基板に載置された発光ダイオード７０１と、その外周を封止する半球状の封止体７０２と、その封止体７０２を取り囲むように略円錐状の反射面７０３を有する反射体７０４が設けられることで、構成されている。
【００１４】
図６（ｂ）、（ｃ）のガラス８６上に記載の小さな長方形の部材は、受光素子８８を示している。ガラス８６上に配置した受光素子８８をＺ方向に移動させることにより、ガラス８６上の強度分布を測定することができる。
【００１５】
図６（ｄ）には、導光体７２から出射され、ガラス８６上に集光した光を受光素子８８で測定した強度分布を示している。同図における縦軸は、ガラス８６の原稿側であって、仮想線ａとの交点ａ１における光の強度値を測定し、導光体７２の長手方向（Ｚ軸方向）の中央部（Ｚ＝１５８ｍｍ）の強度値を１００％とした場合の相対強度（％）を示し、横軸はガラス８６上でのＺ軸方向の測定位置（ｍｍ）を示している。また右図には、入光周辺部の拡大図を示している。
【００１６】
ここで、仮想線ａをＹ軸とし、仮想線ａとガラス８６の原稿側の交点ａ１であって、かつ導光体７２の入光端面から円柱状の突出部６８を除いた位置を原点（０）とし、ガラス８６上の原点から、＋Ｚ方向（紙面での右方向）と−Ｚ方向（紙面での左方向）とに受光素子８８を動かし、ガラス８６側に照射される光の相対強度（％）を測定した（同図の丸印）。
【００１７】
同図に示した測定結果としては、Ｚ＝−１０ｍｍから徐々に出射光が立ち上がり、Ｚ＝２．５ｍｍの位置に相対強度１３５％のピーク値が得られた。また、均一性が得られるまでに導光体７２の端面７３から円柱状の突出部６８を除いた原点から１５ｍｍの距離があることがわかった。
【００１８】
以上のように、導光体７２の光源周辺部では、出射光の強度ピークを持った分布が発生し、出射光の強度に均一性が得られるまでには、導光体７２の入光端面からある程度の距離が必要であった。従って、特許文献１に記載されている構成では、光源周辺部を含めた照射光の均一性を得ることは困難であり、均一性を得るために導光体の全長を長くする、すなわち線状光源装置を長くする必要がある。
【００１９】
導光体７２の光源周辺部の出射光の強度ピークは下記のように説明できる。すなわち、光源７０から放射され導光体７２内に入射した光は、導光体７２の界面で全反射を経て導光し、凹部６３１と凸部６３２とからなる反射面６３に入射する間接的な入射光（間接入射光）と、導光体７２の内面で一度も反射することなく直接凹部６３１と凸部６３２とからなる反射面６３に入射する直接入射光と、に分けて考えられる。
【００２０】
光源７０から離れた箇所では、反射面６３にあらゆる方向からの間接入射光が到達するため、反射面６３より、出射面に向けて全反射する光と、反射面６３で屈折して導光体７２外に導かれた光が、反射面６３の後方に位置する拡散反射面６７により、再度、導光体７２へ入射され導光体７２内へ導光、または出射面から出射される。その結果、原稿面上には適当な広がりを持つ照射形態になる。
【００２１】
しかし、光源７０周辺においては、発光ダイオード７０１からの光が直接入射する直接入射光と、導光体界面の反射を数回程度経た後に反射面６３で反射される間接入射光が存在する。さらには、反射面６３で屈折して導光体７２外に導かれた光が、反射面６３の後方に位置する拡散反射面６７により、再度、導光体へ入射され導光体内へ導光、または出射面から出射される出射光が存在する。その結果、原稿面上には、均一な光を出射する導光体７２の大半の部分に比べ光源７０周辺から出射される光は、細く鋭い強度ピークを発生してしまう。
【００２２】
上記のように、凹部６３１と凸部６３２とからなる反射面６３を設けた場合を説明したが、反射面６３に光反射性の塗料を塗布しても同様な事が言える。
【００２３】
この細く鋭い強度ピークを持った出射光は、線状光源の取り付け精度によって、又、読取走査時の導光体支持基板のガタツキなどによっても、原稿面で読み取る反射光の強度を顕著に変動させてしまう。さらに、原稿の浮き、厚い本などによる折り込み部など深度方向にも光量が顕著に変動するといった問題が発生する。
【００２４】
このような理由により、光源近傍からの出射光を制御するのが困難であるため、細く鋭い強度ピーク以降の出射光が均一になる領域を読取可能な発光領域として利用している。従って、導光体の全長を短くすることが困難であった。
【００２５】
そこで、本発明の目的は、発光ダイオード７０１を導光体７２の端面７３３に配置したＬＥＤ線状光源の端部７３近くから出射される光を含めた出射光の均一性が得られるとともに、コンパクトなＬＥＤ線状光源を提供することである。
【課題を解決するための手段】
【００２６】
第１の発明に係るＬＥＤ線状光源は、その端部にＬＥＤを配設した略棒状の導光体を備えたＬＥＤ線状光源において、導光体の入光端面（ＬＥＤからの光を入光する端面）に隣接する外周面の一部に光（入光したＬＥＤからの光）を拡散させるための拡散体を設け、導光体端部の導光体外側に光吸収部材を設けたことを特徴とする。
【００２７】
第２の発明に係るＬＥＤ線状光源は、第１の発明において、導光体の入光端面に隣接する外周面の出射面側に光拡散性のある塗料を塗布したことを特徴とする。
【００２８】
第３の発明に係るＬＥＤ線状光源は、第１の発明において、導光体の入光端面に隣接する外周面の出射面側に光を拡散させるための凹凸処理を施したことを特徴とする。
【００３０】
また、第４の発明に係る読取装置は、上述のＬＥＤ線状光源装置を組み込んだことを特徴とする。
【発明の効果】
【００３１】
本発明に係るＬＥＤ線状光源は、ＬＥＤを導光体の長手方向における端部に配置した光源において、端部近くから出射される光を含めた出射光の均一性が得られるととともに、導光体の全長が線状光源として必要な有効発光長程度の長さで足りることから、非常にコンパクトな線状光源にできるという利点がある。
【００３２】
第１の発明の構成によれば、導光体の入光端面（ＬＥＤからの光を入光する端面）に隣接する外周面の一部で、入光した光を拡散させることにより、導光体内において、入光部付近の反射面に入射する間接的な入射光を増大させることが可能となり、導光体入光端部に近い位置からより多くの光を出射させることが可能となる。さらに、導光体の上面と対向形成された反射面より、屈折して導光体外に導かれた光の一部を導光体の外部に設けた吸収部材により、吸収させることで、不均一な強度域の箇所を低減させることが可能となる。
【００３３】
第２の発明に係るＬＥＤ線状光源は、第１の発明において、導光体の入光端面に隣接する外周面の出射面側に光反射性のある塗料を塗布させることで、導光体内に入光された光のうち、出射面側の外周面に到達した光を、導光体入光端面付近の反射面方向へ拡散反射させ、反射面へ入射する間接的な入射光をさらに増大させることが可能となる。これにより、導光体入光端部に近い位置から出射させることが可能となるので、端部から放射される光量を増大し、結果として導光体の全長を有効発光長に近いコンパクトなものとすることができる。
【００３４】
第３の発明に係るＬＥＤ線状光源は、第１の発明において、導光体の入光端面に隣接する外周面の出射面側に凹凸処理を施すことで、出射面側の外周面に到達した光を拡散反射、あるいは拡散透過させる。拡散反射された光は、導光体入光端面付近の反射面方向へ進光し、反射面へ入射する間接的な入射光となる。また、拡散透過した光は、発光ダイオードと、その外周を封止する半球状の封止体と、その封止体を取り囲むように略円錐状の反射面を有する反射体にて反射され、導光体へ再入射する。その過程でも再度拡散され導光体入光端面付近の反射面方向へ進行し、反射面へ入射する間接的な入射光となる。従って、導光体入光端部に近い位置から出射させることが可能となる。これにより、導光体入光端部に近い位置から出射させることが可能となるので、端部から放射される光量を増大し、結果として、導光体の全長を有効発光長に近いコンパクトなものとすることができる。
【００３５】
第４の発明に係るＬＥＤ線状光源は、第１の発明において、導光体の上面と対向形成された反射面より、屈折して導光体外に導かれた光のうち、導光体外に導かれた光を変向させる半透明な拡散体により透過・拡散され、後方に位置する拡散反射部材により、反射され、再度半透明な拡散体を透過させることで、さらなる拡散成分を増加させることが可能となり、強度分布の部分的な明暗を低減させることが可能となる。
【００３６】
また、第５の発明に係る読取装置は、上述のＬＥＤ線状光源を配置した読取装置であって、導光体から均一な光が照射されることで、再現性の良い、正確な複写等が実現できるとともに、読取装置自体をコンパクトにできるといった効果がある。
【図面の簡単な説明】
【００３７】
【図１】本発明のＬＥＤ線状光源の第１の実施例の構成を示す。
【図２】本発明のＬＥＤ線状光源の第２の実施例の構成を示す。
【図３】本発明のＬＥＤ線状光源の他の実施例を示す。
【図４】本発明のＬＥＤ線状光源の他の構成を示す概略図。
【図５】本発明のＬＥＤ線状光源の他の構成を示す概略図。
【図６】従来のＬＥＤ線状光源の構成を示す。
【図７】従来のＬＥＤ線状光源を示した概略図。
【発明を実施するための形態】
【００３８】
本発明のＬＥＤ線状光源は、略棒状の導光体からなり、光出射面を含む上面と、上面と対向形成された反射面を含む下面を有する。
導光体の入光端面（ＬＥＤからの光が入射する端面）に隣接する外周面の一部には拡散体が形成される。さらに、導光体の反射面では、一部の光を出射面に向けて全反射するとともに、他の光は反射面で屈折して導光体の外に出てしまう。導光体の外に出る光は光吸収部材で吸収される。
この結果、導光体に入光された光は、拡散体で拡散されて、入光部付近の反射面に入射する間接的な光を増大させる。そして、導光体の入光端面に近い出射面より出射させることが可能となる。さらには、光吸収部材により、不均一な強度域の箇所を低減が可能となる。
【００３９】
このような構成により、導光体の光源側から出射される光の均一性を高めるとともに、導光体の全長が線状光源として必要な有効発光長の長さ程度で足りることから非常にコンパクトな線状光源を提供することができる。
【実施例１】
【００４０】
図１は、本発明のＬＥＤ線状光源の第１の実施例を示す。導光体１は、透光性のアクリル樹脂にて製作され、全長は３２０ｍｍである。図１（ａ）は光軸方向に直交する導光体１の入光部１０から見た側面図を示し、図１（ｂ）は受光素子３２を含む測定配置図を示し、図１（ｃ）は図１（ｂ）のＡ−Ａ’断面図を示す。
導光体１は、出射面２を含む上面３と、上面３に対向配置された下面７と、上面３と下面７とをつなぐ側面８とから構成される。下面７には、凹部４と凸部５とからなる反射面６が形成される。
【００４１】
光源１２は、基板に載置された発光ダイオード１３と、その外周を封止する半球状の封止体１４と、その封止体１４を取り囲むように円錐状の反射面１５を有する反射鏡１６から構成される。
また、光源１２からの放射光が入光する導光体１の一端面には突出部１７が形成される。突出部１７は直径５ｍｍ、長さ２ｍｍの円柱形状である。この円柱状の突出部１７の外周面１８には、出射面側のみに光拡散性を有する塗料１９（拡散体）が塗布されている。塗料１９は例えば二酸化チタンと透明シリコーン樹脂の混合体である。導光体１の他端面２０には端部拡散反射体２１が配置される。導光体１の内部を通って他端面２０に到達した光は、この端部拡散反射体２１にて拡散反射し、再び導光体１に戻される。
【００４２】
導光体１の下面７と側面８には、導光体１と空気層２２を介して拡散反射部材２３が配置されている。また、入光端面から少し離れた位置、例えば６ｍｍ〜１４ｍｍには拡散反射部材２３が存在することなく切り欠き部２４が形成される。導光体１への入射光は、切り欠き部４に到達すると、拡散反射されることなく支持基板２５により吸収される。拡散反射部材２３は、例えば、白色の拡散シートで形成されている。具体的には、二酸化チタンの微細粒子を混入したポリ・エチレン・テレフタレート（ＰＥＴ）樹脂からなる拡散シート、例えば東レ（株）製ルミラーＥ６ＱＤを使用している。また、導光体１と拡散反射部材２３は支持基板２５により固定されている。支持基板２５は、例えば、切り欠き部２４に黒色のシートを配置、あるいは黒アルマイト処理を施したアルミニウム、もしくは黒色の樹脂にて製作しても良い。
【００４３】
図１（ｃ）において、ガラス３１上に記載の小さな長方形の部材は、受光素子３２を示している。導光体１から放射された光は、ガラス３１上に配置された受光素子３２をＺ方向に移動させることにより、ガラス３１上における光の強度分布を測定することができる。
【００４４】
図１（ｄ）は、ガラス３１上における光の強度分布を示す。同図における縦軸は、ガラス３１の原稿側であって、仮想線ｂとの交点ｂ１における光の強度値を測定し、導光体１の長手方向（Ｚ軸方向）の中央部（円柱状の突出部１７を除く導光体１の光源１２側の位置を０ｍｍとした場合のＺ＝１５８ｍｍの位置）の強度値を１００％とした場合の相対強度（％）を示す。また、横軸はガラス３１上でのＺ軸方向の測定位置（ｍｍ）を示している。
【００４５】
ここで、受光素子３２は、ガラス３１上の原点から、＋Ｚ方向（紙面での右方向）と−Ｚ方向（紙面での左方向）に動かして、ガラス３１における光の相対強度（％）が測定される（同図の丸印）。なお、仮想線ｂをＹ軸とし、原点（０）は仮想線ｂとガラス３１の原稿側の交点ｂ１の位置であって、かつ、導光体１の入光端面９側から円柱状の突出部１７を除いた位置としている。
【００４６】
図１（ｄ）は測定結果を示す。右図は入光周辺部の拡大図を示す。この結果より、Ｚ＝−１０ｍｍから徐々に出射光が立ち上がり、Ｚ＝1ｍｍの位置で相対強度１０５％となることは分り、すなわち、光源１２の周辺部から出射される光を含めた原稿側への出射光に高い均一性が得られたことが示される。
【００４７】
このように導光体１の突出部の外周面１８に拡散体を設けることで、出射面に到達した光を拡散反射させて、反射面６への間接的な入射光を増大させる。このため、導光体１の入光端面９に近い位置から均一な光を出射できる。さらに、導光体１の上面３と対向形成された反射面６より、屈折して導光体１の外に導かれた光の一部を導光体１の外部に設けた光吸収部材１１により、吸収させることができる。これにより、不均一な強度域の箇所を低減させることが可能となり、導光体１の光源１２周辺部から出射される光を含めた出射光の均一性が得られる。また、導光体１の全長が線状光源として必要な有効発光領域の長さ程度で足りることから非常にコンパクトな線状光源を提供できる、といった効果がある。
【実施例２】
【００４８】
図２は、本発明のＬＥＤ線状光源の第２の実施例である。第１の実施例と異なる点は、導光体３３の下面３４、及び側面３５と、拡散反射部材３６間には、半透明の拡散シート３７を挟んだ点である。半透明の拡散シート３７としては、例えば、（株）きもと製の２５ＭＢＣ等が使用できる。
【００４９】
図２（ａ）において、ガラス３１上に記載の小さな長方形の部材は、受光素子３２を示している。受光素子３２がＺ方向に移動すること、ガラス３１上の強度分布を測定することができる。
【００５０】
図２（ｂ）はガラス３１上の強度分布を示している。同図における縦軸は光の相対強度を示す。具体的には、ガラス３１の原稿側であって、図１（ｂ）と同等の配置における仮想線ｂとの交点ｂ１に相当する位置における光の強度値を測定し、導光体３３の長手方向（Ｚ軸方向）の中央部（図１（ｂ）の場合と同じ位置）の強度値を１００％とした場合の相対強度（％）を示している。また、横軸はガラス３１上でのＺ軸方向の測定位置（ｍｍ）を示している。
【００５１】
測定は図１（ｂ）と同様で、仮想線ｂをＹ軸とし、仮想線ｂとガラス３１の原稿側の交点ｂ１、かつ、導光体３３の入光端面９側から円柱状の突出部１７を除いた位置を原点（０）とし、ガラス３１上の原点から、＋Ｚ方向（紙面での右方向）と−Ｚ方向（紙面での左方向）とに受光素子３２を動かし、ガラス３１側に照射される光の相対強度（％）を測定した。
【００５２】
図２（ｂ）は測定結果であって、右図には入光端面９側周辺の拡大図を示している。この結果よりＺ＝−１０ｍｍから徐々に出射光が立ち上がり、Ｚ＝1ｍｍの位置で相対強度１０１％となることがわかる。これにより、光源１２の周辺部から出射される光を含めた出射光の更なる均一性の向上が得られたことがわかる。
【００５３】
このように導光体３３の上面３８と対向配置された反射面４１より屈折して導光体３３の外に導かれた光のうち、導光体３３の外に導かれた光を変向させる半透明な拡散シート３７を有する。そして、この拡散シート３７により光は透過・拡散され、その後方に位置する拡散反射部材３６により反射し、再度、半透明な拡散シート３７を透過させている。さらに、拡散成分を増加させることが可能となり、強度分布の部分的な明暗を低減させることが可能となる。その結果、第１の実施例と同様に導光体３３の光源１２周辺部から出射される光を含めた出射光のさらなる均一性が得られると共に、導光体３３の全長が線状光源として必要な有効発光領域の長さ程度で足りることから非常にコンパクトな線状光源装置にすることができる、といった効果がある。
【００５４】
図３は、本発明の拡散体の実施例である。図３（ａ）は、突出部の外周面１８に光拡散性のある塗料４２が形成される。もしくは、光拡散性のある塗料４２が塗布されたテープ状のシートを貼り付けた場合を示している。光拡散性の材質として、例えば、二酸化チタン、硫酸バリウム、シリカ、アルミナなどの微細粒子と透明シリコーン樹脂の混合体が挙げられる。図３（ｂ）は、導光体１の突出部の外周面１８の出射面側に凹凸処理４３（拡散体）を施した場合を示している。凹凸処理４３は、レーザー、もしくはフロスト加工により、または、導光体１の射出成形時に金型に凹凸処理を施し一体成形で製作することにより形成できる。図３（ａ）、または、図３（ｂ）で示したように、突出部の外周面１８に塗布、または、形成することで、光源１２近傍の導光体１の上面と対向配置された反射面に到達する光を増大することができる。
【００５５】
また、上述した第１、及び、第２の実施例においては、導光体の一端面に設けた光源１２による光量が不十分である場合、例えば、図４に示すように、導光体４４の他端面４５にも光源４６を設けることができる。
【００５６】
また、図５のように、導光体４７の出射面からの放射光の強度分布において、入光端面近傍以外の箇所で不均一な強度域がある場合、例えば、導光体４７の他端面５３近傍に強度が高い場合などにおいても、当該位置に吸収部材５２を設けることができる。
【符号の説明】
【００５７】
導光体    １
光出射面  ２
上面      ３
凹部      ４
凸部      ５
反射面    ６
下面      ７
側面      ８
入光端面  ９
入光部  １０
吸収部材  １１
光源      １２
発光ダイオード  １３
封止体    １４
反射面    １５
反射鏡    １６
突出部    １７
外周面      １８
塗料      １９
他端面    ２０
端部拡散反射体  ２１
空気層    ２２
拡散反射部材  ２３
切り欠き部  ２４
支持基板    ２５
原稿配置用ガラス  ３１
受光素子    ３２
導光体      ３３
下面      ３４
側面      ３５
拡散反射部材  ３６
拡散シート  ３７
上面      ３８
凹部      ３９
凸部      ４０
反射面    ４１
塗料      ４２
凹凸処理    ４３
導光体    ４４
他端面    ４５
光源      ４６
導光体    ４７
上面      ４８
凹部      ４９
凸部      ５０
反射面    ５１
吸収部材  ５２
他端面    ５３
光出射面      ６１
上面          ６２
反射面        ６３
凹部          ６３１
凸部          ６３２
下面          ６４
側面          ６５
空気層        ６６
拡散反射面    ６７
突出部        ６８
塗料          ６９
光源          ７０
発光ダイオード  ７０１
封止体        ７０２
反射面        ７０３
反射体        ７０４
ＬＥＤ        ７１
導光体        ７２
端部          ７３
端面          ７３３
光屈折・反射領域    ７４
拡散反射面    ７５
空間          ７６
接続部        ７７
拡散層        ７７１
原稿面        ８１
線状照明装置  ８２
原稿照明装置  ８５
原稿配置ガラス    ８６
受光素子      ８８
【図１】
0005494397.tif 000002
【図２】
0005494397.tif 000003
【図３】
0005494397.tif 000004
【図４】
0005494397.tif 000005
【図５】
0005494397.tif 000006
【図６】
0005494397.tif 000007
【図７】
0005494397.tif 000008